【事件の表示】
　特願２０００−　１７３５９「ゴルフクラブシャフト」拒絶査定不服審判事件〔平成１３年　７月３１日出願公開、特開２００１−２０４８６５〕について、次のとおり審決する。
【結　論】
　本件審判の請求は、成り立たない。
【理　由】
第１　手続の経緯
　本願は、平成１２年１月２６日の出願であって、平成１２年２月１０日及び平成２１年３月１１日に手続補正がなされ、平成２１年４月２４日付けで拒絶査定がなされ、これに対して、同年７月２３日に拒絶査定不服審判の請求がなされたものである。
　
第２　本願発明
１　平成２１年３月１１日になされた手続補正により補正された明細書の特許請求の範囲の請求項１の記載は、次のとおりである（下線は、審決で付した。以下同じ。）。
　
「強化繊維が炭素繊維のみからなり、該強化繊維を一方向に引き揃え、熱硬化樹脂からなるマトリクス樹脂で固着してシート状としたプリプレグシートを用い、該プリプレグシートを積層してシートワインディング製法により製造するゴルフクラブシャフトにおいて、
　上記プリプレグシートの強化繊維がゴルフクラブシャフトのシャフト軸線に対して±１５°〜３０°の傾斜角度でシャフト全長に巻回され、内周側に配置したバイアス層と、
　強化繊維がシャフト軸線に対して略平行でシャフト全長に
巻回にされ
　かつ、上記ストレート層の外周のヘッド取付端側に短尺なストレート層を備え、
　上記ヘッド取付端のシャフト径が８〜１０ｍｍ、
グリップ取付端が１２〜２５ｍ
　上記バイアス層の全体に占める重量割合が、シャフト全体重量の７０重量％以上９０重量％以下であるゴルフクラブシャフト。」
　
２　上記１の「巻回にされ」及び「グリップ取付端が１２〜２５ｍ」との記載は、それぞれ、「巻回され」及び「グリップ取付端が１２〜２５
ｍｍ
　
「強化繊維が炭素繊維のみからなり、該強化繊維を一方向に引き揃え、熱硬化樹脂からなるマトリクス樹脂で固着してシート状としたプリプレグシートを用い、該プリプレグシートを積層してシートワインディング製法により製造するゴルフクラブシャフトにおいて、
　上記プリプレグシートの強化繊維がゴルフクラブシャフトのシャフト軸線に対して±１５°〜３０°の傾斜角度でシャフト全長に巻回され、内周側に配置したバイアス層と、
　強化繊維がシャフト軸線に対して略平行でシャフト全長に
巻回され
　かつ、上記ストレート層の外周のヘッド取付端側に短尺なストレート層を備え、
　上記ヘッド取付端のシャフト径が８〜１０ｍｍ、
グリップ取付端が１２〜２５ｍｍ
　上記バイアス層の全体に占める重量割合が、シャフト全体重量の７０重量％以上９０重量％以下であるゴルフクラブシャフト。」
　
第３　刊行物の記載事項
１　原査定の拒絶の理由に引用された、本願の出願前に頒布された刊行物である特開平１１−２６７２５６号公報（以下「引用例１」という。）には、次の事項が図とともに記載されている（下線は審決で付した。以下同じ）。
　
（１）「【００２４】
実施例１のウッド型ゴルフクラブに用いるシャフトは、図５のその最上位置に示したプリプレグシート３１ａから最下位置に示したプリプレグシート３１ｌへと順次マンドレルに巻き付け、その上から熱収縮チューブを螺旋状にラッピングし、加熱硬化を行った後、マンドレルを引き抜くことにより作成した
３角形状のプリプレグシート３１ｌはクラブヘッドを取り付けるシャフトの細径の端部に巻きつける補強用のプリプレグシート
各プリプレグシート３１ａ〜３１ｌに付している数値はその強化繊維のシャフトの軸（マンドレルの軸）に対してする配向角度
プリプレグシートの右横に付している数値はシャフトの周方向にプリプレグシートを何層にわたって巻付けたかを示し、左横の数値はプリプレグシートの製品番号（いずれも東レ（株）製）を示している
【００２５】
上記各プリプレグシートはいずれも炭素繊維からなる強化繊維にエポキシ樹脂を含浸させたもの
【００２６】図７は得られた
シャフトの寸法
全長Ｌを１１４３mm、グリップ部側の端部１２ａでは、外径ＯＤ
1
 を１５mm
とし
グリップ部１２ｃの端部からクラブヘッドを取付ける側のシャフトの先端部１２ｂまでの長さ部分（ｌ
2
 ＝９９３mmの部分）は、先細りのテーパー状とし、先端部１２ｂの外径ＯＤ
2
 を８．５mm
としている
　
（２）
実施例１のゴルフクラブシャフト
　ア　マンドレルに順次巻き付けられるプリプレグシート３１ａ〜３１ｌは、それぞれ、以下のものであること。
　プリプレグシート３１ａ（「２０５３−１２」、＋２５°、１／２層）
　プリプレグシート３１ｂ（「２０５３−１２」、−２５°、１／２層）
　プリプレグシート３１ｃ（「２０５３−１２」、＋２５°、１／２層）
　プリプレグシート３１ｄ（「２０５３−１２」、−２５°、１／２層）
　プリプレグシート３１ｅ（「２０５３−１２」、＋２５°、１／２層）
　プリプレグシート３１ｆ（「２０５３−１２」、−２５°、１／２層）
　プリプレグシート３１ｇ（「９０５５−１２」、＋４５°、２層）
　プリプレグシート３１ｈ（「９０５５−１２」、−４５°、２層）
　プリプレグシート３１ｉ（「９０５５−８」、０°、２層）
　プリプレグシート３１ｊ（「９０５５−８」、０°、２層）
　プリプレグシート３１ｋ（「９０５５−８」、０°、２層）
　プリプレグシート３１ｌ（「３０５５−１２」、０°）
　ここで、上記括弧内の項目は、左から順に、各プリプレグシートの製品番号、強化繊維のシャフトの軸（マンドレルの軸）に対する配向角度、及び、シャフトの周方向に巻付ける層数を示す。
　イ　プリプレグシート３１ａ〜３１ｋの長さは、いずれも１１４３ｍｍであり、プリプレグシート３１ｌの長さは、１１４３ｍｍより短いこと。
　
（３）上記（１）及び（２）から、引用例１全体、特に実施例１には、次の発明（以下「引用発明」という。）が記載されていると認められる。
　
「下記プリプレグシート１ないし１２を順次マンドレルに巻き付け、その上から熱収縮チューブを螺旋状にラッピングし、加熱硬化を行った後、マンドレルを引き抜くことにより作成したゴルフクラブシャフトであって、
　全長を１１４３ｍｍ、グリップ部側の端部の外径を１５ｍｍ、シャフトの先端部の外径を８．５ｍｍ、グリップ部の端部からクラブヘッドを取付ける側のシャフトの先端部までの長さ部分を、先細りのテーパー状としたゴルフクラブシャフト。
　プリプレグシート１（「２０５３−１２」、＋２５°、１／２層）
　プリプレグシート２（「２０５３−１２」、−２５°、１／２層）
　プリプレグシート３（「２０５３−１２」、＋２５°、１／２層）
　プリプレグシート４（「２０５３−１２」、−２５°、１／２層）
　プリプレグシート５（「２０５３−１２」、＋２５°、１／２層）
　プリプレグシート６（「２０５３−１２」、−２５°、１／２層）
　プリプレグシート７（「９０５５−１２」、＋４５°、２層）
　プリプレグシート８（「９０５５−１２」、−４５°、２層）
　プリプレグシート９（「９０５５−８」、０°、２層）
　プリプレグシート１０（「９０５５−８」、０°、２層）
　プリプレグシート１１（「９０５５−８」、０°、２層）
　プリプレグシート１２（「３０５５−１２」、０°）
　ここで、上記プリプレグシート１ないし１２は、いずれも炭素繊維からなる強化繊維にエポキシ樹脂を含浸させた東レ（株）製のものであり、上記括弧内の項目は、左から順に、各プリプレグシートの製品番号、強化繊維のシャフトの軸（マンドレルの軸）に対する配向角度、及び、シャフトの周方向に巻付ける層数を示す。
　また、プリプレグシート１ないし１１の長さは、いずれも１１４３ｍｍであり、プリプレグシート１２は、クラブヘッドを取り付けるシャフトの細径の端部に巻きつける補強用のプリプレグシートであって、その長さは、１１４３ｍｍより短い。」
　
２　原査定の拒絶の理由に引用された、本願の出願前に頒布された刊行物である特開平２−１７７９７６号公報（以下「引用例２」という。）には、次の事項が図とともに記載されている。
　
（１）「〔作　用〕
　たわみ量が９０ｍｍ〜３００ｍｍと（従来のクラブシャフトに比較して）極めて大きく、やわらかいクラブシャフトとなる。一般に、スウィング中のクラブシャフトの挙動は、トップからダウンスウィングにかけて、たわみ量が増大し、その後戻ってゆくが、インパクト（ボール打撃）時に、たわみ速度の向きがスウィングと同じであって、かつ、たわみ速度が最大の時に一致するのが最も望ましい。即ち、ヘッドスピードが最大となるからである。
　従来の硬い（剛性の高い）クラブシャフトでは、ヘッドスピードの比較的遅い非力なゴルファ−にとって、（前記たわみの周期が短過ぎて、）たわみ速度の最大の時を過ぎてから、ボールを打撃していたが、本発明では、
クラブシャフトがやわらかい（剛性が低い）から、非力なゴルファ−に於て、
ゴルフボールの飛距離を増加出来る
　
（２）「本発明者は、上記（ｉ）〜（ｖ）項の新たに見付けた事実に基づいて、従来の常識では全く予想出来ないような、次のような
やわらかいクラブシャフトを製作した。つまり、高強度カーボン繊維Ｔ−３００（東レ製）を巻付角度２０°〜３０°で巻付し
　
第４　対比
　本願発明と引用発明とを対比する。
１　引用発明の「プリプレグシート１ないし１２」は、いずれも炭素繊維からなる強化繊維にエポキシ樹脂を含浸させたものであり、前記強化繊維は所定方向に配向されたものであるところ、前記エポキシ樹脂が熱硬化性樹脂であることは、当業者に自明であるから、引用発明の「プリプレグシート」と本願発明の「プリプレグシート」とは、「強化繊維が炭素繊維のみからなり、該強化繊維を一方向に引き揃え、熱硬化樹脂からなるマトリクス樹脂で固着してシート状とした」ものである点で一致する。
　
２　引用発明の「ゴルフクラブシャフト」は、プリプレグシート１ないし１２を順次マンドレルに巻き付け、その上から熱収縮チューブを螺旋状にラッピングし、加熱硬化を行った後、マンドレルを引き抜くことにより作成したものであるから、引用発明の「ゴルフクラブシャフト」と本願発明の「ゴルフクラブシャフト」とは、「プリプレグシートを積層してシートワインディング製法により製造する」ものである点で一致する。
　
３　引用発明の「プリプレグシート１ないし８」は、マンドレルに１番目から８番目に巻き付けられるプリプレグシートであって、強化繊維のシャフトの軸に対する配向角度が±２５°又は±４５°、長さがゴルフクラブシャフトの全長１１４３ｍｍに等しいプリプレグシートであるから、引用発明の「プリプレグシート１ないし８」からなる層と、本願発明の「プリプレグシートの強化繊維がゴルフクラブシャフトのシャフト軸線に対して±１５°〜３０°の傾斜角度でシャフト全長に巻回され、内周側に配置したバイアス層」とは、「プリプレグシートの強化繊維がゴルフクラブシャフトのシャフト軸線に対して所定の傾斜角度でシャフト全長に巻回され、内周側に配置したバイアス層」である点で一致する。
　
４　引用発明の「プリプレグシート９ないし１１」は、マンドレルに９番目から１１番目に巻き付けられるプリプレグシートであって、強化繊維のシャフトの軸に対する配向角度が０°、長さがゴルフクラブシャフトの全長１１４３ｍｍに等しいプリプレグシートであるから、引用発明の「プリプレグシート９ないし１１」からなる層は、本願発明の「強化繊維がシャフト軸線に対して略平行でシャフト全長に巻回され、上記バイアス層の外周に配置したストレート層」に相当する。
　
５　引用発明の「プリプレグシート１２」は、マンドレルに１２番目に巻き付けられるプリプレグシートであって、強化繊維のシャフトの軸に対する配向角度が０°、長さがゴルフクラブシャフトの全長１１４３ｍｍより短い、クラブヘッドを取り付けるシャフトの細径の端部に巻きつける補強用のプリプレグシートであるから、引用発明の「プリプレグシート１２」からなる層は、本願発明の「『ストレート層の外周のヘッド取付端側』に『備え』られた『短尺なストレート層』」に相当する。
　
６　引用発明の「ゴルフクラブシャフト」は、全長を１１４３ｍｍ、グリップ部側の端部の外径を１５ｍｍ、シャフトの先端部の外径を８．５ｍｍ、グリップ部の端部からクラブヘッドを取付ける側のシャフトの先端部までの長さ部分を、先細りのテーパー状としたものであるから、引用発明の「ゴルフクラブシャフト」と本願発明の「ゴルフクラブシャフト」とは、「ヘッド取付端のシャフト径が８〜１０ｍｍ、グリップ取付端が１２〜２５ｍｍで、該ヘッド取付端からグリップ取付端にかけて略直線状に拡径する形状とした」ものである点で一致する。
　
７　上記１ないし６から、本願発明と引用発明とは、
「強化繊維が炭素繊維のみからなり、該強化繊維を一方向に引き揃え、熱硬化樹脂からなるマトリクス樹脂で固着してシート状としたプリプレグシートを用い、該プリプレグシートを積層してシートワインディング製法により製造するゴルフクラブシャフトにおいて、
　上記プリプレグシートの強化繊維がゴルフクラブシャフトのシャフト軸線に対して所定の傾斜角度でシャフト全長に巻回され、内周側に配置したバイアス層と、
　強化繊維がシャフト軸線に対して略平行でシャフト全長に巻回され、上記バイアス層の外周に配置したストレート層を備え、
　かつ、上記ストレート層の外周のヘッド取付端側に短尺なストレート層を備え、
　上記ヘッド取付端のシャフト径が８〜１０ｍｍ、グリップ取付端が１２〜２５ｍｍで、該ヘッド取付端からグリップ取付端にかけて略直線状に拡径する形状とした、
　ゴルフクラブシャフト。」
である点で一致し、次の点で相違する。
　
相違点：
　前記バイアス層に関して、本願発明では、強化繊維のシャフト軸線に対する傾斜角度が、「±１５°〜３０°」であり、かつ、シャフト全体重量に占める重量割合が、「７０重量％以上９０重量％以下」であるのに対して、引用発明では、前記傾斜角度は、「±２５°」及び「±４５°」であり、かつ、前記重量割合は明らかでない点。
　
第５　判断
　上記相違点について検討する。
１　引用例２には、非力なゴルファ−がゴルフボールの飛距離を増加出来るようにするために、高強度カーボン繊維Ｔ−３００（東レ製）を巻付角度２０°〜３０°で巻付して、やわらかい（剛性が低い）クラブシャフトを製作する旨記載されている（上記第３の２参照。）。
　
２　繊維強化樹脂製のゴルフクラブシャフトにおいて、ストレート層は曲げ剛性を高め、バイアス層は捩れ剛性を高めること、及び、該バイアス層の捩れ剛性に対する寄与は、該バイアス層の強化繊維のシャフト軸線に対する傾斜角度が±４５°のとき最大となることは、いずれも本願の出願前に周知である（以下「周知事項」という。例．特開平８−１３１５８８号公報特に【０００４】及び【０００５】、特開平１１−３３１５２号公報特に【０００８】、特開平８−３０８９６９号公報特に【００１２】、特開平１０−２６３１２４号公報特に【００２８】参照。）ところ、これらストレート層とバイアス層とをそれぞれどの程度設けるか、バイアス層の前記傾斜角度をどの程度とするかは、いずれも当業者が、ゴルファーの属性等に応じて必要とされるゴルフクラブシャフトの曲げ剛性、捩れ剛性、重量等を考慮して適宜決定すべき設計事項というべきものである。
　
３　上記１及び２から、引用発明において、ゴルファーの属性等に応じて必要とされるゴルフクラブシャフトの曲げ剛性、捩れ剛性、重量等を考慮して、バイアス層の強化繊維のシャフト軸線に対する傾斜角度を、「±１５°〜３０°」とするとともに、該バイアス層のシャフト全体重量に対する重量割合を、「７０重量％以上９０重量％以下」とし、上記相違点に係る本願発明の構成となすことは、当業者が、引用例２に記載された事項及び周知事項に基づいて適宜なし得た設計上のことである。
　
４　効果について
　本願発明の奏する効果は、当業者が、引用発明の奏する効果、引用例２に記載された事項及び周知事項から予測できた程度のものである。
　
５　まとめ
　したがって、本願発明は、当業者が、引用例１に記載された発明、引用例２に記載された事項及び周知事項に基づいて容易に発明をすることができたものである。
　
６　請求人の主張について
　請求人は、審判請求書において、「本発明は、引用文献１の特殊な異方性シャフトとは基本的に相違します。即ち、本発明は引用文献１で必須とする異方性材料を用いておらず、…（略）…引用文献１と基本的な技術思想が相違します。また、引用文献１には、１８０度の半周に分けて巻き付けるバイアス層として±２５゜を例示していますが、引用文献１ではバイアス層の繊維角度自体は重要ではなく、周方向および厚さ方向でバイアス層の配向角度を相違させている事を特徴としています。」（５頁１３〜下から２行参照。）と主張している。
　しかしながら、本願の特許請求の範囲の請求項１の記載は、バイアス層の周方向の構成について何ら特定していないから、本願発明は、引用例１に記載された「異方性シャフト」あるいは「異方性材料」の構成を包含するものである。
　したがって、請求人の上記主張は、特許請求の範囲の記載に基づいたものでなく、採用することはできない。
　
第６　むすび
　以上のとおり、本願発明は、当業者が、引用例１に記載された発明、引用例２に記載された事項及び周知事項に基づいて容易に発明をすることができたものであるから、特許法第２９条第２項の規定により特許を受けることができない。
　よって、結論のとおり審決する。